(57)【要約】      （修正有）【課題】  氷菓子封入用プラスチック管状体であって、無害で、開口が容易で、片手で持って食し得、しかも多数本を箱詰め包装可能な管状体を低コストで提供する。【解決手段】  ａ有底円筒状の本体部と、ｂ開口側の係止用のリング状突起を有する液体注入用細管部とを有する管状体であって、ｃ底部近傍もしくは液体注入用細管部の間において、本体部の中央部分の径よりもやや小径の開口用円筒部が本体部と同一側面において一直線をなすように偏心して設けられ、ｄ該開口用円筒部の本体部との結合部もしくは該開口用円筒部の中間に引裂き開口用円環状溝を設け、ｅ開口用円筒部と本体部との結合によって生ずる本体部の開口方向表面では、つば状の傾斜面を有し、かつ、ｆつば状の傾斜面を含む開口方向の空間を含む部分に、偏平な引裂き開口用把持部を設けたポリエチレン若しくはポリプロピレンのブロー成形体からなる氷菓子封入用管状体。【選択図】図１
2006225002.tif 000002
【特許請求の範囲】
【請求項１】
（ａ）少なくとも有底円筒状の本体部と、（ｂ）少なくとも開口側の係止用のリング状突起を有する液体注入用細管部とを有する管状体であって、（ｃ）該有底円筒状の本体部の底部近傍もしくは該有底円筒状の本体部の該液体注入用細管部の間において、該有底円筒状の本体部の中央部分の径よりもやや小径の開口用円筒部が該有底円筒状の本体部と同一側面において一直線をなすように偏心して設けられ、（ｄ）該開口用円筒部の本体部との結合部もしくは該開口用円筒部の中間に引裂き開口用円環状溝を設け、（ｅ）開口用円筒部と本体部との結合によって生ずる本体部の開口方向表面では、径差に基づく帽子のつば状の傾斜面を有し、かつ、（ｆ）少なくとも該帽子のつば状の傾斜面を含む開口方向の空間を含む部分に、該引裂き開口用円環状溝の位置から開口用円筒部もしくはこれと液体注入用細管部の側面に接合されている偏平な引裂き開口用把持部を設けたことを特徴とするポリエチレン若しくはポリプロピレンのブロー成形体からなる氷菓子封入用管状体。
【請求項２】
開口用円筒部が上部側に設けられ、開口用円筒部が比較的長く、中間の引裂き開口用円環状溝により内側開口用円頭部と、外側開口用円筒部とに分割されたものにおいて、偏平な引裂き開口用把持部が外側開口用円筒部側面に接合され、内側開口用円筒部側面に伸びて接合されることなく形成されていることを特徴とする請求項１に記載のに記載のポリエチレン若しくはポリプロピレンのブロー成形体からなる氷菓子封入用管状体。
【請求項３】
開口用円筒部が上部側に設けられ、開口用円筒部が比較的短く、中間の引裂き開口用円環状溝により内側開口用円頭部と、外側開口用円筒部とに分割されたものにおいて、偏平な引裂き開口用把持部が液体注入用細管部と外側開口用円筒部の側面に接合され、内側開口用円筒部側面に伸びて接合されることなく形成されていることを特徴とする請求項１に記載のに記載のポリエチレン若しくはポリプロピレンのブロー成形体からなる氷菓子封入用管状体。
【請求項４】
開口用円筒部が底部側に設けられ、開口用円筒部は比較的短く、偏平な引裂き開口用把持部が外側開口用円筒部の側面に接合され、内側開口用円筒部の側面に伸びて接合されることなく形成されていることを特徴とする請求項１に記載のに記載のポリエチレン若しくはポリプロピレンのブロー成形体からなる氷菓子封入用管状体。
【請求項５】
把持部を含む面で本体部を偏平に押し潰したときに、把持部が幅方向に突出しないように形成されていることを特徴とする請求項１、２、３もしくは４のいずれかに記載のポリエチレン若しくはポリプロピレンのブロー成形体からなる氷菓子封入用管状体。
【請求項６】
引き裂き用把持部が、管状体側で偏平で、離隔する反対側で管状体に平行な微小径の管状の空気内臓部を有することを特徴とする請求項１、２、３、４若しくは５のいずれかに記載のに記載のポリエチレン若しくはポリプロピレンのブロー成形体からなる氷菓子封入用管状体。
【請求項７】
引き裂き用把持部が、管状体側で他の偏平部分より薄溝状に形成されていることを特徴とする請求項１、２、３、４、５若しくは６のいずれかに記載のに記載のポリエチレン若しくはポリプロピレンのブロー成形体からなる氷菓子封入用管状体。
【発明の詳細な説明】
【技術分野】
【０００１】
本発明は、氷菓子封入用管状体に関するものである。
【背景技術】
【０００２】
往時は氷菓子は、当初割り箸のような木製棒状体を試験管のようなガラス管に入れた甘味量と着色剤とを溶解した水の中に挿入し、その多数本を冷凍機で冷凍して、ガラス管より冷凍された液体を棒付きの状態で取り出し販売されていた。その後、パラフィン紙などで、包装された冷凍菓子も出現し、プラスチック特にポリエチレンポリプロピレンなどのポリオレフィン系樹脂が出現するに及び、水に溶解することなく、無公害であり、低融点であり、氷菓子を製造するために薄いフィルム状の管状体をブロー成型により製造できることから、注目されてきている。
【０００３】
すなわち、この改善策として、プラスチック特にポリエチレン、ポリプロピレンは低融点であり、ブロー成型により管状体としたものは、氷菓子となる水溶液を封入して氷製造用温度域に保存するときは、忽ち温度低下により液体が固体つまり氷に変化し氷菓子となる。
従って、猛暑の季節には、子供は勿論大人でもその一本を食することにより涼味を味わうことが出来る。
【特許文献１】特開２００１−９７４３３号公報
【０００４】
上記特開２００１−９７４３３号公報に記載の発明は、清涼飲料水やお茶などを封入する容器に関し、全体的にボトル状の液体封入用容器であり、上部に細管部を有するが、氷菓子の製造には不向きである。すなわち、上記の細管部に把持部を設けているが、把持部の下の箇所で折損することにより開口して、封入した液体を吸って飲むには適した構造であるが、氷結させて食するには容器部分がビンと同じ構造であり、凍らせても開口部から順次押出すことはできない。
【０００５】
なお、最近は、図９の従来例の斜視図に示すように、ポリエチレンを材料として有底円管部２１ａと開口側に係止用のリング状突起１５を有する液体注入用細管部１４を設けた円管部２１ｂの中間をテーパー状に小径とした細径部２１ｃとした氷菓子封入用管状体が生み出され、氷菓子用飲用液体を液体注入用細管部から注入充満した後、該細管部の入り口を溶融封止して製品を得、これを冷蔵庫に保存して氷結させて、食したいときには、冷蔵庫から取り出し、前記の細径部２１ｃで折り曲げて開口した箇所から氷菓子を食するものがあるが、これでは折り曲げ折損して分離された半体をそれぞれ左右の手に持って食しなければならない。従って、両手が塞がり、非常に簡単な構造でありながら、片手で持って食するには不適当な構造であり、種々不便を感じることの多い構造であった。
【発明の開示】
【発明が解決しようとする課題】
【０００６】
解決しようとする問題点は、多数本の氷菓子用プラスチック容器であって、氷菓子となる水溶性物質を封入した物を多数本箱詰め包装することができ、片手で氷菓子不入製品を製品を保持して食することができる容器を提供することにある。勿論製造の容易さ及び取り扱いの容易性を保持しなければならない。
【課題を解決するための手段】
【０００７】
上記課題を解決するためになされた本発明は以下に記載のとおりである。
請求項１の発明は、（ａ）少なくとも有底円筒状の本体部と、（ｂ）少なくとも開口側の係止用のリング状突起を有する液体注入用細管部とを有する管状体であって、（ｃ）該有底円筒状の本体部の底部近傍もしくは該有底円筒状の本体部の該液体注入用細管部の間において、該有底円筒状の本体部の中央部分の径よりもやや小径の開口用円筒部が該有底円筒状の本体部と同一側面において一直線をなすように偏心して設けられ、（ｄ）該開口用円筒部の本体部との結合部もしくは該開口用円筒部の中間に引裂き開口用円環状溝を設け、（ｅ）開口用円筒部と本体部との結合によって生ずる本体部の開口方向表面では、径差に基づく帽子のつば状の傾斜面を有し、かつ、（ｆ）少なくとも該帽子のつば状の傾斜面を含む開口方向の空間を含む部分に、該引裂き開口用円環状溝の位置から開口用円筒部もしくはこれと液体注入用細管部の側面に接合されている偏平な引裂き開口用把持部を設けたことを特徴とするポリエチレン若しくはポリプロピレンのブロー成形体からなる氷菓子封入用管状体。
請求項２の発明は、開口用円筒部が上部側に設けられ、開口用円筒部が比較的長く、中間の引裂き開口用円環状溝により内側開口用円頭部と、外側開口用円筒部とに分割されたものにおいて、偏平な引裂き開口用把持部が外側開口用円筒部側面に接合され、内側開口用円筒部側面に伸びて接合されることなく形成されていることを特徴とする請求項１に記載のに記載のポリエチレン若しくはポリプロピレンのブロー成形体からなる氷菓子封入用管状体。
請求項３の発明は、開口用円筒部が上部側に設けられ、開口用円筒部が比較的短く、中間の引裂き開口用円環状溝により内側開口用円頭部と、外側開口用円筒部とに分割されたものにおいて、偏平な引裂き開口用把持部が液体注入用細管部と外側開口用円筒部の側面に接合され、内側開口用円筒部側面に伸びて接合されることなく形成されていることを特徴とする請求項１に記載のに記載のポリエチレン若しくはポリプロピレンのブロー成形体からなる氷菓子封入用管状体。
請求項４の発明は、開口用円筒部が底部側に設けられ、開口用円筒部は比較的短く、偏平な引裂き開口用把持部が液体注入用細管部と外側開口用円筒部の側面に接合され、内側開口用円筒部の側面に伸びて接合されることなく形成されていることを特徴とする請求項１に記載のに記載のポリエチレン若しくはポリプロピレンのブロー成形体からなる氷菓子封入用管状体。
【０００８】
請求項５の発明は、把持部を含む面で本体部を偏平に押し潰したときに、把持部が幅方向に突出しないように形成されていることを特徴とする請求項１、２、３もしくは４のいずれかに記載のポリエチレン若しくはポリプロピレンのブロー成形体からなる氷菓子封入用管状体であり、
請求項６の発明は、引き裂き用把持部が、管状体側で偏平で、離隔する反対側で管状体に平行な微小径の管状の空気内臓部を有することを特徴とする請求項１、２、３、４若しくは５のいずれかに記載のに記載のポリエチレン若しくはポリプロピレンのブロー成形体からなる氷菓子封入用管状体であり、
請求項７の発明は、引き裂き用把持部が、管状体側で他の偏平部分より薄溝状に形成されていることを特徴とする請求項１、２、３、４、５若しくは６のいずれかに記載のに記載のポリエチレン若しくはポリプロピレンのブロー成形体からなる氷菓子封入用管状体である。
【発明の効果】
【０００９】
本発明は、低融点のポリエチレン若しくはポリプロピレンのブロー成型品であり、厚さが薄く、冷蔵庫で内部の液体を容易に氷結し、かつ取り出したときに、片手で容器を持ち、他の片手で開口用把持部を持って引裂き開口用円環状溝の箇所をねじるようにして引裂けば、極めて簡単に開口される。そして、内部の氷菓子は、開口部が僅かに本体部の一般径より小さいが、手及び周囲温度の影響で、柔軟になり、かつ、管状体を形成しているポリエチレン若しくはポリプロピレンが柔らく内部の氷菓子の圧力によって口径を大きくなるので、押出される。この操作は一方の手で氷菓子封入用管状体の本体部を持ち他方の手で引き裂き開口用把持部を持って捻ることによって、容易に開口でき、氷菓子は、片手で持った状態なので、扱い易い特徴がある。特に引裂き開口用円環状溝が、開口用円筒部の本体部に対する付け根の箇所に設けられると、開口用円筒部の中間に設けるよりも大きな開口が得られるので、氷菓子が本体部より頭を出しやすく、食しやすい。
また、氷菓子用液体は、液体注入用細管部から注入し、その先端を熱融着することにより容易に封止することができる。
【００１０】
更に、本発明は、前記した構造により、氷菓子用液体を注入する前において、有底円筒状の本体部の底部近傍もしくは該有底円筒状の本体部の該液体注入用細管部の間において、開口用把持部が、本体部より幅方向に突出することなく、多数本を箱詰めするのに適しており、さらに、氷菓子となる液体を注入し、入り口を封止した氷菓子用製品として販売する場合にも多数本が箱詰め包装できる利点がある。
なお、ブロー成型体であるので、厚さは１０〜１０００μ程度であるから熱交換により冷蔵庫内においての液体の氷結、及び冷蔵庫からの取り出し後の適当な融解ができると言う効果を奏することができる。
【００１１】
すなわち、引き裂かれた下部は氷菓子が充填されているので、冷蔵庫より取り出し外気の中に開放された後は高い周囲温度の影響及び把持する手の熱などで、本体部内の氷菓子は、本体部を手で押し圧することにより円筒状に押出されて食することができる。開放上部は当初やや小径ではあるがポリエチレン又はポリプロピレンは水等の液体には不溶性で、有害物質を溶出する恐れは全くなく、軟質で、変形しやすいので、開口部の径は広がり、押出しに困難性はない。
なお、リング状突起を有する液体注入用細管部を設けた上部は液体の注入に好適であり、リング状突起があるので、液体注入機に装着が容易である。
さらに、引き裂き用把持部は、氷菓子封入用管状体に近接する側で偏平で、離隔する側で該氷菓子封入用管状体に平行な管状の空気注入部を有するので、把持して引き裂くのに子供でも手の感触が良く引き裂くことができる。
【発明を実施するための最良の形態】
【００１２】
図１は、本発明のポリエチレン又はポリプロピレンからなる氷菓子封入用管状体の一例の斜視図で開口用円筒部の長さが長い場合の斜視図である。図において、有低円筒状の本体部１１と、その上部にやや小径で略中央で引き裂き開口用円環状溝１３で区切られた内側開口用円筒部１２ａ，外側開口用円筒部１２ｂからなる開口用円筒部１２を備え、内側開口用円筒部１２ａは、段差のある部分が帽子のひさし状の傾斜面１２ｃを形成している。さらに開口用円筒部１２の上部の液体注入用細管部１４の中間に係止用のリング状突起１５が設けられている。
また、引き裂き開口用把持部１６は、外側開口用円筒部１２ｂの一側面に把持部の接合部１６ａで接合され、引き裂き開口用円環状溝１３の一側面までが接合されており、内側開口用円筒部１２ａの側面には接合されずこの面及び帽子のひさし状の傾斜面１２ｃの表面に沿って設けられている。この形状は手（親指と人差し指）で持つのに適した面積の把持部を得られるために有効である。
なお、有低円筒状の本体部１１の外径Ｗ１と、引き裂き開口用把持部１６を含む上下の部円筒部の最大径Ｗ２とはほぼ同一の長さである。
【００１３】
このような構造であるから、全体的に軽量であり、全体が一定の幅以内で構成されているので、多数本を箱内に並列、積み重ねてコンパクトに荷造りすることが可能であり、容器自体の構造についていえば、液体注入用細管部１４から氷菓子となる液体の注入が容易で、液体注入後注入管の端部溶融すことにより融着封止し、冷蔵庫で、内部の液体を凍らせた後は、食するにあたり、冷蔵庫より取り出し、片手で氷菓子封入管状体を持ち、他の片手で、引き裂き用把持部を持って、引裂くようにひねれば、簡単に引き裂き用溝１３が引き裂かれて、氷菓子が開口部より押出されることにより、氷菓子を食することができる。
この場合の引き裂き用把持部の詳細構造の一例は、図３、図４に示すように、引き裂き用把持部１６は、全体として容器に平行であり、その外側では縦方向に中空部１７ａを有し、内側では偏平部１７ｂを有し、開口用円筒部や液体注入用細管の側面との接合部１６が設けられており、手で把持して感触も良く、かつひねり易く、従って引き裂き力を引き裂き用溝に及ぼしやすく構成されている。
【００１４】
図２は、本発明装置のポリエチレンもしくはポリプロピレンからなる氷菓子封入用管状体の一例の斜視図で開口用円筒部の長さが短い場合の斜視図である。図において、有低円筒状の本体部１１と、その上部にやや小径で略中央で引き裂き用円環状溝１３で区切られた内側円筒部１２ａ，外側円筒部１２ｂからなる開口用円筒部１２を備え、内側円筒部１２ａは、段差のある部分が上面から見て帽子のひさし状の傾斜面１２ｃを形成している。さらに開口用円筒部１２の上部の液体注入用細管部１４の中間に係止用のリング状突起１５が設けられている。
また、引き裂き開口用把持部１６は、液体注入用細管部１４の下部の側面から外側円筒部１２ｂの一側面に把持部の接合部１６ａで接合され、引き裂き開口用円環状溝１３の一側面までが接合されており、内部側円筒部１２ａの側面には接合されずこの面及び帽子のひさし状の傾斜面１２ｃの表面に沿って設けられている。この形状は手（親指と人差し指で）持つのに適した面積の把持部を得られるために有効である。
なお、有低円筒状の本体部１１の外径Ｗ１と、引き裂き開口用把持部１６を含む上下の部円筒部の最大径Ｗ２とはほぼ同一の長さである。
【００１５】
図３は図１の上端部の拡大斜視図の一例を示し、図１と同一部分には同一符号が付されている。また、図４は、図２の上端部の拡大斜視図の一例を示し、図２と同一部分には同一符号が付されている。それぞれ引裂き開口用把持部１６の外側には、中空部１７ａ、中央の大部分が偏平部１７ｂ、接合部近傍が薄肉部１７ｃとされており、指でつかみ易く、しかも軽量でひねりやすく形成されている。
【００１６】
なお、図１、図２に示されているように、有低円筒状の本体部１１の外径Ｗ１と、引き裂き用把持部１６を含む上下の円筒部の最大径Ｗ２とはほぼ同一の長さである。
このような構造であるから、全体的に軽量であり、全体が一定の幅以内で構成されているので、多数本を並列、積み重ねてコンパクトに荷造りすることが可能であり、容器自体の構造についていえば、液体注入用細管部１４から氷菓子となる液体の注入が容易で、液体注入後注入管の端部を溶融すことにより融着封止し、冷蔵庫で、内部の液体を凍らせた後は、冷蔵庫より取り出し、引き裂き用把持部１６を持って、ひねると、簡単に引き裂き開口用円環状溝１３が引き裂かれて氷菓子を食することができる。
【００１７】
図５は、有低円筒状の本体部１１の底部側に、開口部を設ける場合の一例の斜視図で、有低円筒状の本体部１１には、やや小径で略中央で引き裂き開口用円環状溝１３で区切られた内側開口用円筒部１２ａ，外側開口用部円筒部１２ｂからなる開口用円筒部１２を備え、内側開口用円筒部１２ａは、段差のある部分が帽子のひさし状の傾斜面１２ｃを形成している。
図６は、図５の底部側の拡大斜視図で、図５と同一部分には同一符号が付されている。本体には液体注入用細管部１４、リング状突起１５が設けられ、かつその反対側の底部１８の近傍には、引き裂き開口用把持部１６が外側開口用円筒部１２ｂの一側面に把持部の接合部１６ａで接合され、引き裂き開口用円環状溝１３の一側面までが接合されており、内側開口用円筒部１２ａの側面には接合されずこの面及び帽子のひさし状の傾斜面１２ｃの表面に沿って設けられている。
図６は、図５の底部側の拡大斜視図で、図５と同一部分には同一符号が付されている。これによれば図１、２の上部開口方と同様に底部においても開口する構造のものができ、これによる効果に相違はない。
【００１８】
図７は、有低円筒状の本体部１１と開口開口用円筒部１２との境界に引き裂き開口用円環状溝１３を設けた場合の氷菓子封入用管状体の一例の斜視図で、他の部分は図１と同様であり、同一部分には同一符号が付されている。図８は、図７の拡大斜視図で、図１、図８と同一部分には同一符号が付されている。この図のものは、引き裂き開口用円環状溝１３を引裂き開口した場合、有低円筒状の本体部１１が直接開口部となるので、氷菓子を比較的大きい口径の箇所から押出して食することになるので、その点では有利である。
なお、各図に共通するが、本体部の開口側の帽子のひさし状の傾斜面１２ｃは、ブロー成型を行う上で、無理のない合理的形状である。
【００１９】
本発明は極めて簡単な構造で、氷菓子封入用管容器自体を箱に多数詰め込んで荷作りすることができ、また、氷菓子となる液体を充填して封入したものを梱包するにも箱に多数本を梱包できるので梱包輸送費が低廉であり、また、これに氷菓子用液体を充填するにも容易な構造であり、充填後は上部の細管で融着することにより、漏れを生じることはなく、さらにかかる液体充填の氷菓子封入チューブを購入したものを購入した家庭で、その適当本数を冷蔵庫の氷結用の低温部に保存しておけばあまり長時間を要することなく氷結し、食用に供することができる。
【図面の簡単な説明】
【００２０】
【図１】本発明のポリエチレン若しくはポリプロピレンのブロー成形体からなる氷菓子封入用管状体の一例で、開口用円筒部の長さが長い場合の斜視図。
【図２】本発明のポリエチレン若しくはポリプロピレンのブロー成形体からなる氷菓子封入用管状体の一例で、開口用円筒部の長さが短い場合の斜視図。
【図３】図１の上部の拡大斜視図。
【図４】図２の上部の拡大斜視図。
【図５】本発明のポリエチレン若しくはポリプロピレンのブロー成形体からなる氷菓子封入用管状体の一例で、底面部に開口部を設ける場合の斜視図。
【図６】図５の底部の拡大斜視図。
【図７】本発明のポリエチレン若しくはポリプロピレンのブロー成形体からなる氷菓子封入用管状体の一例で、本体部と開口用円筒部との間に引裂き用溝を設けた場合の一例の斜視図。
【図８】図７の上部の拡大斜視図。
【図９】従来のポリエチレンからなる氷菓子封入用管状体の一例を示す斜視図。
【符号の説明】
【００２１】
１１    有底円筒状の本体部
１２    開口用円筒部
１２ａ  内側開口用円筒部
１２ｂ  外側開口用円筒部
１２ｃ  帽子のひさし状の傾斜面
１３    引き裂き開口用円環状溝
１４    液体注入用細管部
１５    リング状突起
１６    引き裂き開口用把持部
１６ａ  把持部の接合部
１７ａ  中空部
１７ｂ  偏平部
１７ｃ  薄肉部
１８  底部
２１ａ、２１ｂ  円筒状本体部
２１ｃ  紡錘状細径部
【図１】
2006225002.tif 000003
【図２】
2006225002.tif 000004
【図３】
2006225002.tif 000005
【図４】
2006225002.tif 000006
【図５】
2006225002.tif 000007
【図６】
2006225002.tif 000008
【図７】
2006225002.tif 000009
【図８】
2006225002.tif 000010
【図９】
2006225002.tif 000011